【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  連続用紙への印刷が可能な印刷装置による前記連続用紙への印刷を制御する印刷制御装置であって、
印刷ジョブを受信する印刷ジョブ受信手段と、
前記印刷ジョブ受信手段により受信した印刷ジョブから前記印刷ジョブにかかる印刷物の個々のページを表示する画像データを取得する画像データ取得手段と、
前記画像データ取得手段により取得した画像データを印刷装置に順次送信する画像データ送信手段と、
前記印刷装置がジャムにより前記連続用紙に印刷したページを排出できなかった場合に排出できなかったページにかかる画像データを再印刷するために、予め既定数の再印刷用画像データを保存しておく再印刷用画像データ保存手段と、
前記画像データ送信手段による送信済み画像データを前記再印刷用画像データとして前記再印刷用画像データ保存手段に順次追加する再印刷用画像データ追加手段と、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除手段と、
前記印刷装置がジャムにより前記連続用紙に印刷したページを排出できなかった場合に前記再印刷用画像データ保存手段に保存されている再印刷用画像データを前記印刷装置に順次送信する再印刷用画像データ送信手段と、
前記再印刷用画像データ送信手段による送信済み再印刷用画像データを前記再印刷用画像データ保存手段から順次削除する第２の再印刷用画像データ削除手段とを有し、
前記既定数は、下記式
【数１】
2005022203.tif 000001
（但し、Ｎは前記既定数であり、Ｌは前記印刷装置の印刷終了点から排紙口までの用紙搬送路の長さであり、Ｈは前記印刷物のページ長であり、Ｎ０  は前記印刷装置の画像データ保存手段に保存される前記画像データの数であり、ｆ（ｘ）は実数ｘの小数点以下を切り上げて整数にする演算処理を表す。）
により算出されることを特徴とする印刷制御装置。
【請求項２】  連続用紙への印刷が可能な印刷装置であって、
印刷ジョブを受信する印刷ジョブ受信手段と、
前記印刷ジョブ受信手段により受信した印刷ジョブから前記印刷ジョブにかかる印刷物の個々のページを表示する画像データを取得する画像データ取得手段と、
前記画像データ取得手段により取得した画像データを前記連続用紙に順次印刷して排出する画像データ印刷手段と、
前記画像データ印刷手段がジャムにより前記連続用紙に印刷したページを排出できなかった場合に排出できなかったページにかかる画像データを再印刷するために、予め既定数の再印刷用画像データを保存しておく再印刷用画像データ保存手段と、
前記画像データ印刷手段による前記連続用紙への印刷済み画像データを前記再印刷用画像データとして前記再印刷用画像データ保存手段に順次追加する再印刷用画像データ追加手段と、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除手段と、
前記画像データ印刷手段がジャムにより前記連続用紙に印刷したページを排出できなかった場合に前記再印刷用画像データ保存手段に保存されている再印刷用画像データを順次印刷する再印刷用画像データ印刷手段と、
前記再印刷用画像データ印刷手段による印刷済み再印刷用画像データを前記再印刷用画像データ保存手段から順次削除する第２の再印刷用画像データ削除手段とを有し、
前記既定数は、下記式
【数２】
2005022203.tif 000002
（但し、Ｎは前記既定数であり、Ｌは前記印刷装置の印刷終了点から排紙口までの用紙搬送路の長さであり、Ｈは前記印刷物のページ長であり、ｆ（ｘ）は実数ｘの小数点以下を切り上げて整数にする演算処理を表す。）
により算出されることを特徴とする印刷制御装置。
【請求項３】  連続用紙への印刷が可能な印刷装置による前記連続用紙への印刷を制御する方法であって、
印刷ジョブを受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを印刷装置に順次送信する画像データ送信ステップと、
前記印刷装置がジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ送信ステップによる送信済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記印刷装置がジャムにより前記連続用紙に印刷したページを排出できなかった場合に前記再印刷用画像データ保存手段に保存されている再印刷用画像データを前記印刷装置に順次送信する再印刷用画像データ送信ステップと、
前記再印刷用画像データ送信ステップによる送信済み再印刷用画像データを前記再印刷用画像データ保存手段から順次削除する第２の再印刷用画像データ削除ステップとを有し、
前記既定数は、下記式
【数３】
2005022203.tif 000003
（但し、Ｎは前記既定数であり、Ｌは前記印刷装置の印刷終了点から排紙口までの用紙搬送路の長さであり、Ｈは前記印刷物のページ長であり、Ｎ０  は前記印刷装置の画像データ保存手段に保存される前記画像データの数であり、ｆ（ｘ）は実数ｘの小数点以下を切り上げて整数にする演算処理を表す。）
により算出されることを特徴とする印刷制御方法。
【請求項４】  連続用紙への印刷を制御する方法であって、
印刷ジョブを受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを前記連続用紙に順次印刷して排出する画像データ印刷ステップと、
前記画像データ印刷ステップにおいてジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ印刷ステップによる前記連続用紙への印刷済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記画像データ印刷ステップにおいてジャムにより前記連続用紙に印刷したページを排出できなかった場合に前記再印刷用画像データ保存手段に保存されている再印刷用画像データを順次印刷する再印刷用画像データ印刷ステップと、
前記再印刷用画像データ印刷ステップによる印刷済み再印刷用画像データを前記再印刷用画像データ保存手段から順次削除する第２の再印刷用画像データ削除ステップとを有し、
前記既定数は、下記式
【数４】
2005022203.tif 000004
（但し、Ｎは前記既定数であり、Ｌは前記印刷装置の印刷終了点から排紙口までの用紙搬送路の長さであり、Ｈは前記印刷物のページ長であり、ｆ（ｘ）は実数ｘの小数点以下を切り上げて整数にする演算処理を表す。）
により算出されることを特徴とする印刷制御方法。
【請求項５】  連続用紙への印刷が可能な印刷装置による前記連続用紙への印刷を制御するプログラムであって、
印刷ジョブを受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを印刷装置に順次送信する画像データ送信ステップと、
前記印刷装置がジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ送信ステップによる送信済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記印刷装置がジャムにより前記連続用紙に印刷したページを排出できなかった場合に前記再印刷用画像データ保存手段に保存されている再印刷用画像データを前記印刷装置に順次送信する再印刷用画像データ送信ステップと、
前記再印刷用画像データ送信ステップによる送信済み再印刷用画像データを前記再印刷用画像データ保存手段から順次削除する第２の再印刷用画像データ削除ステップとを印刷制御装置に実行させるものであり、
前記既定数は、下記式
【数５】
2005022203.tif 000005
（但し、Ｎは前記既定数であり、Ｌは前記印刷装置の印刷終了点から排紙口までの用紙搬送路の長さであり、Ｈは前記印刷物のページ長であり、Ｎ０  は前記印刷装置の画像データ保存手段に保存される前記画像データの数であり、ｆ（ｘ）は実数ｘの小数点以下を切り上げて整数にする演算処理を表す。）
により算出されることを特徴とする印刷制御プログラム。
【請求項６】  連続用紙への印刷を制御するプログラムであって、
印刷ジョブを受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを前記連続用紙に順次印刷して排出する画像データ印刷ステップと、
前記画像データ印刷ステップにおいてジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ印刷ステップによる前記連続用紙への印刷済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記画像データ印刷ステップにおいてジャムにより前記連続用紙に印刷したページを排出できなかった場合に前記再印刷用画像データ保存手段に保存されている再印刷用画像データを順次印刷する再印刷用画像データ印刷ステップと、
前記再印刷用画像データ印刷ステップによる印刷済み再印刷用画像データを前記再印刷用画像データ保存手段から順次削除する第２の再印刷用画像データ削除ステップとを印刷装置に実行させるものであり、
前記既定数は、下記式
【数６】
2005022203.tif 000006
（但し、Ｎは前記既定数であり、Ｌは前記印刷装置の印刷終了点から排紙口までの用紙搬送路の長さであり、Ｈは前記印刷物のページ長であり、ｆ（ｘ）は実数ｘの小数点以下を切り上げて整数にする演算処理を表す。）
により算出されることを特徴とする印刷制御プログラム。
【請求項７】  請求項５または６に記載の印刷制御プログラムを記録したコンピュータ読み取り可能な記録媒体。